(57)【特許請求の範囲】
【請求項１】
容器の中の溶液を抽出する抽出パイプを挿入可能とすると共に容器の開口部に蓋部材を固定する抽出パイプ固定具であって、
該蓋部材は、中心に抽出パイプが挿入されるパイプ挿入口と、該パイプ挿入口を挟んで対称な位置に配置され該容器の開口部に固定される少なくとも２つのクランプ手段とを備え、
該開口部は、立ち上がり部を備え、
該クランプ手段は、該蓋部材の外周の円弧に沿うようにして屈曲した板部材と、該板部材を該蓋部材に対して回転可能に止める止め具によって構成され支点となるクランプ支持部と、力点となるつまみ部と、該クランプ支持部を基準として該つまみ部の反対側の外周部に該板部材から下方に垂下した状態で形成され作用点となるクランプ部と、該パイプ挿入口の中心方向に該クランプ部を付勢する弾性部材と、から構成され、
該クランプ手段は、該弾性部材により該クランプ部を該パイプ挿入口の中心方向に付勢し該クランプ部によって該開口部の立ち上がり部を外側からクランプして該開口部に蓋部材を固定するとともに、該クランプ部が該パイプ挿入口から離れて該蓋部材を該容器から取り外し可能とした
抽出パイプ固定具。
【請求項２】
前記パイプ挿入口は、前記抽出パイプの外径より大きい内径を有し、該パイプ挿入口の内壁には１つ以上のＯリングが備えられ、該抽出パイプは該パイプ挿入口を進退可能であって、前記開口部に抽出パイプ固定具を固定すると共に、該抽出パイプの先端を容器の内壁底面に当接させることを可能とした
請求項１記載の抽出パイプ固定具。
【発明の詳細な説明】
【技術分野】
【０００１】
本発明は、溶液が入った容器に着脱自在に取り付けられ、溶液を吸い出す抽出パイプを挿入可能な抽出パイプ固定具に関する。
【背景技術】
【０００２】
液体が蓄えられた容器から液体を抽出する方法として、容器の開口部にキャップを嵌め、キャップを貫通する抽出パイプを容器の内部に垂下させて溶液中に浸漬させることにより、抽出パイプに連結されたポンプを用いて溶液を容器から抽出する方法が知られている（例えば特許文献１参照）。
【先行技術文献】
【特許文献】
【０００３】
【特許文献１】特許第４０２４１５０号公報
【発明の概要】
【発明が解決しようとする課題】
【０００４】
しかし、特許文献１記載の発明では、容器の開口部に形成された雄ねじに対し、パイプが一体となったキャップに形成された雌ねじを締結して固定するため、容器の交換時には、その都度ネジを緩めたり締めたりしなければならず、交換作業が面倒であるという問題がある。
【０００５】
また、液体を抽出するためには、パイプの先端と容器の底との間に隙間が必要であるところ、当該隙間があるために、容器内の溶液を最後まで吸い出すことができないという問題がある。
【０００６】
本発明は、このような問題にかんがみなされたもので、パイプを備えたキャップと容器との着脱を容易に行うとともに、容器内の溶液を残さずに吸い出すことができるようにすることを課題とする。
【課題を解決するための手段】
【０００７】
本発明は、容器の中の溶液を抽出する抽出パイプを挿入可能とすると共に容器の開口部に蓋部材を固定する抽出パイプ固定具に関するもので、蓋部材は、中心に抽出パイプが挿入されるパイプ挿入口と、パイプ挿入口を挟んで対称な位置に配置され容器の開口部に固定される少なくとも２つのクランプ手段とを備え、開口部は、立ち上がり部を備え、クランプ手段は、蓋部材の外周の円弧に沿うようにして屈曲した板部材と、板部材を蓋部材に対して回転可能に止める止め具によって構成され支点となるクランプ支持部と、力点となるつまみ部と、クランプ支持部を基準としてつまみ部の反対側の外周部に板部材から下方に垂下した状態で形成され作用点となるクランプ部と、パイプ挿入口の中心方向にクランプ部を付勢する弾性部材と、から構成され、クランプ手段は、弾性部材によりクランプ部をパイプ挿入口の中心方向に付勢しクランプ部によって開口部の立ち上がり部を外側からクランプして開口部に蓋部材を固定するとともに、クランプ部がパイプ挿入口から離れて蓋部材を容器から取り外し可能とした。
【０００８】
この抽出パイプ固定具において、パイプ挿入口は、抽出パイプの外径より大きい内径を有し、パイプ挿入口の内壁には１つ以上のＯリングが備えられ、抽出パイプはパイプ挿入口を進退可能であって、開口部に抽出パイプ固定具を固定するとともに、抽出パイプの先端を容器の内壁底面に当接させることを可能とすることが望ましい。
【発明の効果】
【０００９】
本発明では、２つのクランプ手段を備え、各クランプ手段がクランプ支持部を支点として回転し、作用点となるクランプ部が弾性部材によってパイプ挿入口の中心に向けて付勢されることにより、抽出パイプ固定具が容器の開口部に固定されるため、クランプ支持部を支点としてクランプ手段を回転させることにより、ネジを緩めたり締めたりすることなく抽出パイプ固定具の着脱を容易に行うことができる。
【００１０】
また、抽出パイプ固定具のパイプ挿入口においては抽出パイプを進退可能であり、抽出パイプの先端を容器の内壁底面に当接させることにより、容器内の溶液を残さずに最後まで吸い出すことが可能となる。
【図面の簡単な説明】
【００１１】
【図１】抽出パイプ固定具の一例を示す斜視図である。
【図２】抽出パイプ固定具を容器の開口部に固定した状態を示す断面図である。
【図３】クランプ部によって抽出パイプ固定具を容器に固定したときの抽出パイプ固定具を示す平面図である。
【図４】クランプ部による抽出パイプ固定具の容器への固定を解除したときの抽出パイプ固定具を示す平面図である。
【発明を実施するための形態】
【００１２】
図１に示す抽出パイプ固定具１は、リング状かつ平板状に形成された蓋部材２を備え、蓋部材２の中心部には、表裏を貫通するパイプ挿入口３が形成されている。パイプ挿入口３には、抽出パイプ固定具１が固定される容器から溶液を抽出する抽出パイプ６を挿入可能となっている。
【００１３】
パイプ挿入口３を挟んで対称な位置には、２つのクランプ手段４が配設されている。クランプ支持手段４は、クランプ支持部４０を支点として蓋部材２に対して水平方向に回転可能となっている。なお、図示の例におけるクランプ手段４は２つ配設されているが、３つ以上配設されていてもよい。
【００１４】
２つのクランプ手段４は、クランプ手段４を回転させる際の力点となるつまみ部４１と、クランプ手段４の回転時の作用点となるクランプ部４２とを備えている。
【００１５】
クランプ手段４は、蓋部材２の外周の円弧に沿うようにして屈曲した板部材４３を備えており、クランプ支持部４０は、板部材４３を蓋部材２に対して回転可能に止める止め具によって構成される。また、つまみ部４１は、板部材４３から上方に起立した状態で形成されており、板部材４３の縁部に沿って直線状に立設されている。
【００１６】
なお、クランプ支持部４０は、クランプ手段４を水平方向に回転可能に支持することができれば、図示の例に限定されるものではない。また、つまみ部４１は、クランプ手段４を水平方向に回転させるための力を加えることができるものであればよく、図示の形状及び位置に限定されるものではない。
【００１７】
クランプ部４２は、クランプ支持部４０を基準としてつまみ部４１の反対側の外周部に形成されており、板部材４３から下方に垂下した状態で形成されている。また、板部材４３の内周面４３０側には、係止部材４５が設けられており、係止部材４５には弾性部材４４の一端が引っ掛けられている。弾性部材４４は、例えばバネにより構成され、他端は蓋部材２に固定された係止部材２０に取り付けられており、弾性部材４４は、クランプ部４２をパイプ挿入口３の中心方向に付勢している。
【００１８】
図２に示すように、クランプ部４２は、板部材４３から下方に垂下する垂下部４２０と、垂下部４２０からパイプ挿入口３側に向けて屈曲し先端がパイプ挿入口３の外周面３０に当接して係合する係合部４２１とから構成されている。係合部４２１の先端には凹凸が形成され、パイプ挿入口３の外周面３０にはこれに対応した凸凹が形成されており、両者が係合している。
【００１９】
パイプ挿入口３は、抽出パイプ６の外径より大きい内径を有している。パイプ挿入口３の内壁３１には１つ以上のＯリング３２が備えられ、抽出パイプ６は、Ｏリング３２に支持された状態でパイプ挿入口３を上下方向に進退可能となっている。
【００２０】
パイプ挿入口３に挿入された抽出パイプ６は、抽出パイプ固定具１が固定された容器５の開口部５ａから容器５の内部に垂下している。抽出パイプ６の下端には、斜めに面取りされた面取り部６０を備えており、先端部分の一部のみが容器５の内壁底面５０に当接している。容器５には、溶液５１が貯留されており、抽出パイプ６に吸引力を作用させることにより、溶液５１を抽出することができる。なお、面取り部６０の形状は、図示の例には限定されない。
【００２１】
図２に示したように容器５に固定された抽出パイプ固定具１は、クランプ手段４の操作によって容器５から取り外すことができ、取り外した抽出パイプ固定具１は、再び容器５に取り付けることができる。
【００２２】
図３に示すように、弾性部材４４によってクランプ部４２がパイプ挿入口３の中心方向に付勢されている状態では、図２に示したように、パイプ挿入口３の外周面３０と係合部４２１とが係合し、抽出パイプ固定具１が容器５の開口部５ａに固定される。またこのとき、パイプ挿入口３は、蓋部材２によって塞がれるとともに、Ｏリング３２によってシールされている。
【００２３】
抽出パイプ固定具１を容器５から取り外すときは、図４に示すように、２つのつまみ部４１を力点とし、つまみ部４１を抽出パイプ固定具１の中心方向に押すことにより、クランプ支持部４０を支点としてクランプ手段４を時計回りに水平方向に回転させる。そうすると、作用点であるクランプ部４２が、図２に示したパイプ挿入口３の外周面３０から離れ、外周面３０と係合部４２１との係合が解除される。したがって。その状態で抽出パイプ固定具１を上方に引き上げることにより、容器５から抽出パイプ固定具１を取り外すことができる。
【００２４】
抽出パイプ固定具１を再び容器５に取り付けるときは、図４に示したように、クランプ手段４を時計回りに水平方向に回転させ、その状態で抽出パイプ固定具１を下降させてクランプ部４２をパイプ挿入口３の外周側に位置させ、それからクランプ手段４の時計回りの回転を解除して半時計回りに戻すと、図３に示したように、外周面３０と係合部４２１とが係合し、抽出パイプ固定具１が容器５に固定される。
【００２５】
このようにして抽出パイプ固定具１が容器５に固定されると、パイプ挿入口３に挿入された抽出パイプ６を押し下げていき、その下端部を内壁底面５０に当接させる。このように、抽出パイプ６の先端部が溶液５１に浸漬した状態では、抽出パイプ６によって溶液５１を外部に抽出することができる。そして、抽出を続け、溶液５１の残量が少なくなった場合でも、抽出パイプ６の下端部は内壁底面５０に当接しており、下端部には面取り部６０が形成されているため、溶液を残さずに抽出することができる。
【００２６】
すなわち、面取り部６０が形成されていない状態で抽出パイプ６の下端部を内壁底面５０に当接させると溶液を抽出できなくなるところ、面取り部６０を設けたことにより、抽出パイプ６の下端部を内壁底面５０に当接させても、溶液を吸い出すことができるため、抽出パイプ６の下端部を内壁底面５０に当接させることが可能となっている。そして、抽出パイプ６の下端部を内壁底面５０に当接させることで、溶液を残さずに最後まで吸い出すことができる。
【符号の説明】
【００２７】
１：抽出パイプ固定具
２：蓋部材  ２０：係止部材
３：パイプ挿入口  ３０：外周面  ３１：内壁  ３２：Ｏリング
４：クランプ支持手段
４０：クランプ支持部  ４１：つまみ部
４２：クランプ部  ４２０：垂下部  ４２１：係合部
４３：板部材  ４４：弾性部材  ４５：係止部材
５：容器  ５ａ：開口部  ５０：内壁底面  ５１：溶液
６：抽出パイプ  ６０：面取り部
【図１】
0005977940.tif 000002
【図２】
0005977940.tif 000003
【図３】
0005977940.tif 000004
【図４】
0005977940.tif 000005